(57)【要約】  【課題】  操作性に秀れ、経済的な設置が可能であり、しかも木造住宅の二階以上の階における床下空間にも効率的に設置することができる新たな床下収納技術を提供する。  【解決手段】  建築物二階以上の階における床下空間８３内に収まる寸法形状に設定した組み立て式で、且つ天面開放可能とする箱型収納室ユニット２を設け、該収納室ユニット２底面２１の均衡配置となる複数適所の夫々から、収納対象床下の床板支持用の根太８１，８１または梁か、あるいは、床下収納専用として建築物骨格部に増設した横架部品かの何れかに達し、吊下げ状に連結可能とする棒状懸架機構３，３，……を鉛直上方に延伸させ、同収納室ユニット２上端開口縁２３を、床板８２下に密接接合状とするよう装着した上、該収納室ユニット２底面２１適所の直上に対応する床板８２に出納口４を開口し、床板兼用となる施蓋板４１を開閉自在に装着してなる床下収納庫１である。【選択図】    図２
0003137677.tif 000002
【実用新案登録請求の範囲】
【請求項１】
建築物二階以上の階における床下空間内に収まる寸法形状に設定した組み立て式で、且つ天面開放可能とする箱型収納室ユニットを設け、該収納室ユニット底面の均衡配置となる複数適所の夫々から、収納対象床下の床板支持用の根太または梁か、あるいは、床下収納専用として建築物骨格部に増設した横架部品かの何れかに達し、吊下げ状に連結可能とする棒状懸架機構を鉛直上方に延伸させ、同収納室ユニット上端開口縁を、床板下に密接接合状とするよう装着した上、該収納室ユニット底面適所の直上に対応する床板に出納口を開口し、床板兼用となる施蓋板を開閉自在に装着してなるものとしたことを特徴とする床下収納庫。
【請求項２】
建築物二階以上の階における床下空間内に収まる寸法形状に設定した組み立て式で、且つ天面開放可能とする箱型収納室ユニットを設け、該収納室ユニットの内部底面上中央に、平面形状円形または正多角形の上面平滑面状の出納作業用ステージ板と、該出納作業用ステージ板の周囲等角度間隔毎、放射状且つ上面面一状に配した複数枚の上面平滑面状の収納用平板とからなり、各収納用平板から出納作業用ステージ板中央に向けて星型配置状となる直線状案内レールが敷設された滑走用台盤を収容固定すると共に、各収納用平板上に各案内レールに沿って進退滑走可能とするキャスターを底下面複数適所に設け、出納作業用ステージ板上まで個別に移動自在とした天面開放型の収納ケースを配したものとする一方、該収納室ユニット底面の隣接する収納用平板間であって滑走移動および収納状態にある各収納ケースに干渉せず、しかも均衡配置となる複数適所の夫々から、収納対象床下の床板支持用の根太または梁か、あるいは、床下収納専用として建築物骨格部に増設した横架部品かの何れかに達し、吊下げ状に連結可能とする棒状懸架機構を鉛直上方に延伸させ、同収納室ユニット上端開口縁を、床板下に密接接合状とするよう装着した上、出納作業用ステージ板直上に対応する床板に出納口を開口し、床板兼用となる施蓋板を開閉自在に装着してなるものとしたことを特徴とする床下収納庫。
【請求項３】
建築物二階以上の階における床板適所に出納口を開口し、床板兼用となる施蓋板を開閉自在に装着した上、該出納口を通過可能な部品同士の組み合わせからなり、同床下空間内に収まる外郭寸法形状に設定した天面開放可能とする箱型収納室ユニットを形成し、該収納室ユニットの内部底面上中央に、平面形状円形または正多角形の上面平滑面状の出納作業用ステージ板と、該出納作業用ステージ板の周囲等角度間隔毎、放射状且つ上面面一状に配した上面平滑面状の収納用平板とからなり、各収納用平板から出納作業用ステージ板中央に向けて星型配置状となる直線状案内レールが敷設された、何れも該出納口を通過可能な部品同士の組み合わせからなる滑走用台盤を収容固定すると共に、各収納用平板上に各案内レールに沿って進退滑走可能とするキャスターを底下面複数適所に設け、出納作業用ステージ板上まで個別に移動自在とし、該出納口に通過可能な寸法形状に設定した天面開放型の収納ケースが配されたものとする一方、該収納室ユニット底面の各収納用平板間であって滑走移動および収納状態にある各収納ケースに干渉せず、しかも均衡配置となる複数適所の夫々から、収納対象床下の床板支持用の根太または梁か、あるいは、床下収納専用として建築物骨格部に増設した横架部品かの何れかに達するよう、鉛直上方に延伸させた棒状懸架機構の上端を、吊下げ状に連結して収納室ユニット上端開口縁を、床板下に密接接合状とするよう装着してなるものとしたことを特徴とする床下収納庫。
【請求項４】
棒状懸架機構は、収納室ユニット底面壁下から、同底面壁を鉛直方向に貫通し、収納対象床下の床板支持用の根太または梁か、あるいは、床下収納専用として建築物骨格部に増設した横架部品かの何れかに達する寸法形状に設定した長尺状のボルト・ナットであり、長尺状ボルトの収納室ユニット内配置となる中途適所が上下に分断し、中間連結用長尺ナットによって上下寸法を調節自在に連結されてなるものとした、請求項１ないし３何れか一項記載の床下収納庫。
【請求項５】
案内レールは、収納用平板から出納作業用ステージ板中央に向けた平行レール対と、該平行レール対の出納作業用ステージ板とは反対がわとなる遠心がわ端部付近に、収納ケースまたはそのキャスターの少なくとも何れか一方に干渉して後退位置を規制可能とする凸型車止めとを組み合わせてなるものとした、請求項２または３何れか一項記載の床下収納庫。
【請求項６】
収納ケースは、収納用平板上に収納配置させた場合の、出納作業用ステージ板中央に最も近い上部開口縁付近適所に、出納口を通じて滑走往復動操作を容易にするハンドルが一体形成されてなるものとした、請求項２または３何れか一項記載の床下収納庫。
【考案の詳細な説明】
【技術分野】
【０００１】
この考案は、建築物の二階以上の床下空間に物品を収納可能とした床下収納に関するものであり、床下収納設備を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                      
【背景技術】
【０００２】
（着目点）
我が国の生活スタイルは、古くから和洋折衷の文化を踏襲してきていて、衣類を始めとして食器に至るまでの多くの生活用品の一通りを複数種類毎に所有するのが一般的になっている上、多様な家電製品やその他用品が次々と開発、提供されて生活スタイルの改善が続けられることから、より快適な生活を求め、多くの人たちがそれらの多くを購入、使用するため、大抵の家庭では保管しておかなければならない物品の数が日常的に増え続け、住宅事情にも原因して多くの家庭ではその収納場所に苦慮しているのが実情である。こうした事情を解消するため、屋根裏部屋やウォークイン・クロゼット等の収納空間を設計段階から取り入れようと試みられるが、それらは比較的大きな設置スペースを要するため、限られた敷地内における居住空間とのバランスや間取り等との兼ね合いが生じてしまうことと、経費の面で高額についてしまうこと等の理由があって、このような大掛かりな収納設備を建造当初から採用する住宅の数は限られ、多くの住宅では、精々、居住空間に影響のない一階床に、それも堀炬燵状の床下収納庫を採用するに止まっているのが現状である。
【０００３】
一般家庭向けの床下収納庫としては、例えば特開平７−９１０３６号公報に開示された「スライド床下収納庫の連結構造」考案にも開示されているように、床板適所に開口した矩形状の出納口に開閉蓋を設け、該出納口の対峙する二辺夫々から、それら対峙辺に平行する方向であって、同出納口の両がわ双方に向けて夫々開口寸法の倍程度（全長が開口寸法の三倍程度）のレール対を床板下に平行状に設置し、該レール対間に天面開放型の収納室２コ分が、レール案内方向に隣接状に一体化された収納ケースを、摺動自在に架け渡してなるものが広く利用されており、こうした連結一体型の収納ケースをスライド移動させながら利用する従来型床下収納庫は、出納口越しに手を伸ばし、収納されている全ての物品諸共設置されている全ての収納ケースを移動させて、所望の出納作業を行わなければならず、利用者に過剰な負担を掛けないためにも、移動収納室の設置数を２ないし３室程度に抑えたものとしなければならず、出納口を増設せずに、それを上回る収納スペースを確保することはできない。また、各収納ケースは天面を開放した状態で床下空間内に収容されており、床下を通じて浸入してくる害虫やネズミなどから、収納物品を保護することができないという欠点を有していた。
【０００４】
（従来の技術）
それら従前までのもの打開策となるようなものとして、例えば特開２０００−１７９１４２号公報に開示された「床下収納庫の構造」考案のように、床下の一つの束の回りを循環する台車を複数連結し、該台車の内側と外側にそれぞれ車輪を設けると共に各台車に収納容器を着脱自在に載設し、床下空間を利用して束の回りを循環する環状とした大型の床下収納庫を構成することができて束に邪魔されることなく大型の床下収納庫を形成することができるようにしたものや、特開２００２−２５０１２２号公報「床下収納庫」考案として提案されているもののように、床板に開閉自在な扉を有し、床下空間に通じる開口を設け、該開口に近接する床下空間に下面にモータ駆動の車輪を具備した複数の箱型収納体を、同開口下方まで走行可能に配置し、夫々の収納体に番号を割り当ててコンピュータで管理しておき、コントローラに備えた（各収納体に対応する）番号のスイッチを押すことにより、所望の収納体を床板の開口まで容易に走行移動させて収納体に収納した物品を出し入れできるようにしたものなどが散見される。
【０００５】
しかし、前者の「床下収納庫の構造」考案は、これまで複数連結された収納ケースを直線的に移動して出納作業を行っていたものを、束を中心とする垂直軸心周りの回転移動に変更したものであって、狭い床下空間を有効に利用して収納スペースを拡大するという効果を得ることができるが、環状に連結設置された収納容器の全てを回転移動させなければ所望の収納容器を出納口まで移動させることができず、利用者に過大な作業負担を強いる構造のもので、さらに、各収納容器に容器用蓋を設けて埃や害虫、ネズミなどの浸入を防止できるようにする構造が開示されているものの、室内がわから床下に収容された各収納容器の容器用蓋を開閉しながら出納作業を行うのは面倒で、蓋の閉め忘れや不完全閉鎖を招き易く、あまり使い勝手の良いものとは言えなかった。
【０００６】
また、後者の「床下収納庫」考案は、床下空間の殆どを収納に当てることができるものの、コンピュータ管理およびコントローラを用いた収納体の移動制御など、構造が複雑化して施工費用を高額化させてしまい、経済的な設置利用が難しいという致命的な欠点を有していたし、加えて、上方の一部が開口した箱型のケーシングの内部に複数の収納体を配して床下空間に設置し、埃や害虫類の浸入を防止するようにしていたが、ケーシングの底面はベタ基礎上への設置が前提となっており、二階以上の階における床下に設置しようとする場合には、設置対象床直下の下階天井裏に充分な補強を行う必要があり、既存の住宅への設置は略不可能なものであった。
【０００７】
このような欠点を解消するものとして本願出願人は、既に特開２０００−２５５７０７号公報「床下収納装置」考案に開示した、正五角形の殆どの辺上に、当該一辺から外側には、当該一辺長よりもやや小巾で、当該多角形の外接円直径を超えることのない長さとした矩形平面形の、当該一辺上の辺を除く三辺から食み出すことのない平面輪郭を有し、当該一辺から内側には、先の平面輪郭形で除外した辺の両端部分から、互いに向き合う方向に夫々｛９０−（３６０／Ｎ）｝度、あるいはそれよりも小さい角度に傾けた斜辺を含む平面輪郭となるようにした収納箱体を、建築物床下面上に隣接状に配置すると共に、各収納箱体は、夫々当該多角形の中心に向かう案内レールに誘導され、多角形中心部分の中央ステージ上に移動可能であり、何れか選択された収納箱体を順次中央ステージ上に移動し、建築物床面の出入口部に望めるようにした床下収納装置を開発済みであり、収納密度の高い多数の収納箱体を効率的に収納することができる上、収納物品の取り出しや収納作業も簡便に行うことができるものとしている。
【０００８】
ところが、従前までの何れの床下収納装置も、地上一階の床下空間内のベタ基礎上に設置することを前提に開発されたものであり、二階以上の階における床下空間内に設置できる収納技術としては、特開平８−２３９９９７号公報の「階層住宅用床下収納装置」考案に開示された、鉄筋コンクリート構造の階上床において、階上床の床梁間に凹型構造体の収納スペースを架設し、該収納スペース内に収納函を設置し、またこの床下収納庫の両端に騒音防止対策を施したローラーストッパーを有するものとし、且つ騒音防止対策を施したレールを敷設し、該レール上を騒音防止対策を施したローラーを枢着した収納函を走行可能に収納し、さらに床下収納装置が低い天井部の階上床であり、且つその階下も同じ低い天井部であるように設置したものが既に開発されているが、新築および既存の木造住宅の二階以上の階における床下空間に簡単且つ充分な強度をもって設置できるものは未だ開発されていなかった。                                                                          
【特許文献１】（１）特開平７−９１０３６号公報    （２）特開２０００−１７９１４２号公報    （３）特開２００２−２５０１２２号公報    （４）特開２０００−２５５７０７号公報    （５）特開平８−２３９９９７号公報
【考案の開示】
【考案が解決しようとする課題】
【０００９】
（問題意識）
上述したとおり、従前までに提案のある各種床下収納庫は、何れも複数連結された収納ケースの全てを一挙に移動させ、所望の収納ケースを出納口に誘導しなければならず、利用者に過大な負担を掛けるものが殆どであり、こうした欠点を解消したものは、駆動モータを利用した多数の収納ケースをコンピュータで管理すると共に、各収納ケースの移動を自動制御しなければならないなど、施工費用の高騰を招いてしまうという欠点があったことから、本願出願人考案者が既に開発済みとなっている床下収納装置によって漸くこうした問題を何とか解決することができたものの、近年の三階建て住宅や二世帯住宅などの増加に伴い、木造住宅における各階毎の収納空間確保へのニーズが高まる中、木造二階以上の階における床下に下階天井の安全強度を確保した効率的な収納と、埃や害虫、ねずみなどの確実な浸入防止とを実現可能とする床下収納技術については未だ存在しないという状況にある。
【００１０】
（考案の目的）
そこで、この考案は、出納操作性に秀れ、経済的な設置が可能であり、しかも木造住宅の二階以上の階における床下空間にも効率的に設置することができる新たな床下収納技術の開発はできないものかとの判断から、逸速くその開発、研究に着手し、長期に渡る試行錯誤と幾多の試作、実験とを繰り返してきた結果、今回、遂に新規な構造の床下収納庫を実現化することに成功したものであり、以下では、図面に示すこの考案を代表する実施例と共に、その構成を詳述することとする。                                                                                                
【課題を解決するための手段】
【００１１】
（考案の構成）
図面に示すこの考案を代表する実施例からも明確に理解されるように、この考案の床下収納庫は、基本的に次のような構成から成り立っている。
即ち、建築物二階以上の階における床下空間内に収まる寸法形状に設定した組み立て式で、且つ天面開放可能とする箱型収納室ユニットを設け、該収納室ユニット底面の均衡配置となる複数適所の夫々から、収納対象床下の床板支持用の根太または梁か、あるいは、床下収納専用として建築物骨格部に増設した横架部品かの何れかに達し、吊下げ状に連結可能とする棒状懸架機構を鉛直上方に延伸させ、同収納室ユニット上端開口縁を、床板下に密接接合状とするよう装着した上、該収納室ユニット底面適所の直上に対応する床板に出納口を開口し、床板兼用となる施蓋板を開閉自在に装着してなるものとした構成を要旨とする床下収納庫である。
【００１２】
この基本的な構成からなる床下収納庫を表現を変えて示すと、建築物二階以上の階における床下空間内に収まる寸法形状に設定した組み立て式で、且つ天面開放可能とする箱型収納室ユニットを設け、該収納室ユニットの内部底面上中央に、平面形状円形または正多角形の上面平滑面状の出納作業用ステージ板と、該出納作業用ステージ板の周囲等角度間隔毎、放射状且つ上面面一状に配した複数枚の上面平滑面状の収納用平板とからなり、各収納用平板から出納作業用ステージ板中央に向けて星型配置状となる直線状案内レールが敷設された滑走用台盤を収容固定すると共に、各収納用平板上に各案内レールに沿って進退滑走可能とするキャスターを底下面複数適所に設け、出納作業用ステージ板上まで個別に移動自在とした天面開放型の収納ケースを配したものとする一方、該収納室ユニット底面の隣接する収納用平板間であって滑走移動および収納状態にある各収納ケースに干渉せず、しかも均衡配置となる複数適所の夫々から、収納対象床下の床板支持用の根太または梁か、あるいは、床下収納専用として建築物骨格部に増設した横架部品かの何れかに達し、吊下げ状に連結可能とする棒状懸架機構を鉛直上方に延伸させ、同収納室ユニット上端開口縁を、床板下に密接接合状とするよう装着した上、出納作業用ステージ板直上に対応する床板に出納口を開口し、床板兼用となる施蓋板を開閉自在に装着してなるものとした構成からなる床下収納庫となる。
【００１３】
これを換言すると、建築物二階以上の階における床板適所に出納口を開口し、床板兼用となる施蓋板を開閉自在に装着した上、該出納口を通過可能な部品同士の組み合わせからなり、同床下空間内に収まる外郭寸法形状に設定した天面開放可能とする箱型収納室ユニットを形成し、該収納室ユニットの内部底面上中央に、平面形状円形または正多角形の上面平滑面状の出納作業用ステージ板と、該出納作業用ステージ板の周囲等角度間隔毎、放射状且つ上面面一状に配した上面平滑面状の収納用平板とからなり、各収納用平板から出納作業用ステージ板中央に向けて星型配置状となる直線状案内レールが敷設された、何れも該出納口を通過可能な部品同士の組み合わせからなる滑走用台盤を収容固定すると共に、各収納用平板上に各案内レールに沿って進退滑走可能とするキャスターを底下面複数適所に設け、出納作業用ステージ板上まで個別に移動自在とし、該出納口に通過可能な寸法形状に設定した天面開放型の収納ケースが配されたものとする一方、該収納室ユニット底面の各収納用平板間であって滑走移動および収納状態にある各収納ケースに干渉せず、しかも均衡配置となる複数適所の夫々から、収納対象床下の床板支持用の根太または梁か、あるいは、床下収納専用として建築物骨格部に増設した横架部品かの何れかに達するよう、鉛直上方に延伸させた棒状懸架機構の上端を、吊下げ状に連結して収納室ユニット上端開口縁が床板下に密接接合状に装着してなるものとした構成からなる床下収納庫となる。                                                                                              
【考案の効果】
【００１４】
以上のとおり、この考案の床下収納庫によれば、従前までは、電気通信用配線や防音・断熱材の装着などの外に殆ど利用されることのなかった木造住宅の二階以上の階における床板下と下階天井面との間の空間の一部を、床下収納空間として有効利用することができるようになり、しかも、該収納室ユニット底面の均衡配置となる複数適所の夫々から、収納対象床下の床板支持用の根太または梁か、あるいは、床下収納専用として建築物骨格部に増設した横架部品かの何れかに達し、吊下げ状に連結可能とする棒状懸架機構を鉛直上方に延伸させ、同収納室ユニット上端開口縁を、床板下に密接接合状とするよう装着したものとし、既存の建築物にも簡単且つ確実に取り付け可能とすることができ、充分な吊り下げ強度を確保して下階天井にストレスを掛けず、安全に高い収納性を達成することができる上、密閉構造を確保して外部からの埃や湿気、害虫、ネズミなどを確実にシャットアウトすることができるという秀れた特徴が得られるものである。
【００１５】
加えて、収納室ユニットの内部底面上中央に、平面形状円形または正多角形の上面平滑面状の出納作業用ステージ板と、該出納作業用ステージ板の周囲等角度間隔毎、放射状且つ上面面一状に配した複数枚の上面平滑面状の収納用平板とからなり、各収納用平板から出納作業用ステージ板中央に向けて星型配置状となる直線状案内レールが敷設された滑走用台盤を収容固定すると共に、各収納用平板上に各案内レールに沿って進退滑走可能とするキャスターを底下面複数適所に設け、出納作業用ステージ板上まで個別に移動自在とした天面開放型の収納ケースを配したものとする一方、出納作業用ステージ板直上に対応する床板に出納口を開口し、床板兼用となる施蓋板を開閉自在に装着してなるものとし、該出納口の平面開口形状を超えて、その前後左右方向夫々に倍程度に拡張した大きさの収納室ユニットを、設置対象の建築物二階以上の階における床下空間に設置した場合にも、出納口の周囲に配された各収納ケースを個別に進退移動させて一段と効率的な出納作業性を実現化できるという効果を発揮するものとなる。
【００１６】
そして、棒状懸架機構が、収納室ユニット底面壁下から同底面壁を鉛直方向に貫通し、収納対象床下の床板支持用の根太または梁か、あるいは、床下収納専用として建築物骨格部に増設した横架部品かの何れかに達する寸法形状に設定した長尺状のボルト・ナットであり、長尺状ボルトの収納室ユニット内配置となる中途適所が上下に分断し、中間連結用長尺ナットによって上下寸法を調節自在に連結してなるものでは、建築資材として一般に低廉且つ大量に流通している六角ボルトおよび六角ナット、ならびに座金類などを使用可能として耐久性および耐震性に秀れた床下収納設備を経済的に実現化することができ、しかも寸法調節が容易で、一種類で様々な形状寸法の床下空間や収納室ユニットに対応することができることから、新築住宅や既存建築物などの違いに拘わらず、自由度が高く効率的な施工が可能となる。
【００１７】
案内レールを収納用平板から出納作業用ステージ板中央に向けた平行レール対と、該平行レール対の出納作業用ステージ板とは反対がわとなる遠心がわ端部付近に、収納ケースまたはそのキャスターの少なくとも何れか一方に干渉して後退位置を規制可能とする凸型車止めとを組み合わせてなるものでは、平行レール対が夫々に対応する収納ケースのキャスターを案内誘導するものとなり、一本のレールを敷設した場合に比較して格段に安定した直進性が得られるものとなり、利用者が床上に屈み込み出納口を通じて手を伸ばして行う、収納ケースの進退操作性を大幅に向上させることができ、しかも収納用平板上まで後退させるときには、収納ケースの適所および／またはキャスターが凸型車止めに干渉して自動的に制動するまで後退操作して定位置に簡単且つ正確に収納することができ、後退し過ぎて手が届かなくなってしまうという不都合な事態の発生を防止することができ、より快適な収納を実現化できるという特徴が得られる。
【００１８】
収納ケースの収納用平板上に収納配置させた場合に、出納作業用ステージ板中央に最も近い部分となる上部開口縁付近適所に、出納口を通じた滑走往復動操作を助けるハンドルが一体形成されてなるようにしたものでは、床板上から屈み込み、収納室ユニット内に手を伸ばしてハンドルを掴んで収納ケースを進退移動させることができ、各収納ケースの進退滑走の操作性を一段と向上させ、円滑な出納作業を実現可能にしている。
【００１９】
この考案の床下収納庫の施工方法によれば、建築物二階以上の階における床板適所に出納口を穿設し、床板兼用となる施蓋板を開閉自在に装着すると共に、該出納口に通過可能な部品同士を床下空間に搬入して組み合わせるようにし、新築住宅や既存の建築物などに拘わらず、何れの場合にも効率的に設置することができ、しかも工場から施工現場まで分解状態の輸送となるため、各部品はトラックなどに高密度且つコンパクトに搭載して輸送し、クレーンなどを使用せずに少人数によって搬入することができ、迅速且つ低廉に施工作業を進めることが可能であり、床下空間内に収まる外郭寸法形状に設定された天面開放可能とする箱型収納室ユニットを形成した後、該収納室ユニット底面の均衡配置となる複数適所の夫々から、収納対象床下の床板支持用の根太または梁か、あるいは、床下収納専用として建築物骨格部に増設した横架部品かの何れかに達するよう、鉛直上方に延伸させた棒状懸架機構の上端を、吊下げ状に連結して収納室ユニット上端開口縁が床板下に密接接合状とするよう装着するようにしたことにより、棒状懸架機構の吊り下げ連結作業を行うだけで、高い耐震強度と密閉構造とを同時に達成することができ、施工作業の迅速化と床下収納庫の品質の安定化とを達成する特徴が得られる。
【００２０】
さらに、収納室ユニットの内部底面上中央に、平面形状円形または正多角形の上面平滑面状の出納作業用ステージ板と、該出納作業用ステージ板の周囲等角度間隔毎、放射状且つ上面面一状に配した上面平滑面状の収納用平板とからなり、各収納用平板から出納作業用ステージ板中央に向けて星型配置状となる直線状案内レールを敷設し、何れも該出納口に通過可能な部品同士の組み合わせからなる滑走用台盤を収容固定した上、該収納室ユニット底面の隣接する収納用平板間であって後に滑走移動および収納状態となる各収納ケースに干渉せず、しかも均衡配置となる複数適所の夫々から、収納対象床下の床板支持用の根太または梁か、あるいは、床下収納専用として建築物骨格部に増設した横架部品かの何れかに達するよう、鉛直上方に延伸させた棒状懸架機構の上端を、吊下げ状に連結して収納室ユニット上端開口縁が床板下に密接接合状となるよう装着し、各収納用平板上に各案内レールに沿って進退滑走可能とするキャスターを底下面複数適所に設けた天面開放型の収納ケースを、該出納口を通じて収容し、出納作業用ステージ板上まで個別に移動自在とするよう、各収納用平板上に配するように施工作業を進めることにより、複数の収納ケースが効率的に収納された収納室ユニットを、迅速且つ低廉にて設置することができるという大きな効果を奏することになる。                                                                                            
【考案を実施するための最良の形態】
【００２１】
上記したとおりの構成からなるこの考案の実施に際し、その最良もしくは望ましい形態について説明を加えることにする。
収納室ユニットは、建築物二階以上の階における床下空間内に収まり、設置対象となる床板下と、直下階天井面上との間に所望する寸法および形状の収納空間を確保可能とする機能を果たし、工場生産や保管、輸送、および施工現場への搬入ならびに組み立て設置に至る各作業を、１ないし２人程度の少人数の作業者によって安全且つ容易に行うことができる程度の寸法形状および重量に抑えた部品同士の組み合わせからなる天面開放可能とする箱型容器状のものとし、さらに、上端開口縁を対峙状となる床板下面に密接接合状とするよう装着したものとしなければならず、新築の建築物は勿論のこと既存住宅にも簡便に施工可能なものとするよう、少なくとも設置対象床下の床板未装着または床板を取り外して現れた根太や梁の間に通過可能な寸法形状に設定した部品同士の組み合わせからなるものとすべきであり、床板適所に開口した出納口を通過可能な寸法形状の部品同士の組み合わせからなるものとするのが望ましく、密閉性や防湿性および害虫やネズミなどの浸入を効果的に阻止できるガラス繊維強化樹脂製の部品同士を組み合わせて各結合部分を充填材で密閉し、ボルト・ナットによって結合一体化したものとすることが可能である外、防虫や調湿機能を発揮する木材や合板同士を建築用の連結金具およびボルト・ナットなどにより、密閉状に組み合わせ一体化してなるものなどとすることができる。
【００２２】
棒状懸架機構は、収納室ユニット底面の均衡配置となる複数適所の夫々を、収納対象床板下の床板支持用の根太または梁か、あるいは、床下収納専用として建築物骨格部に増設した横架部品かの何れかに対し、充分な強度をもって吊下げ状に連結可能とする機能を果たすものであり、木材に比較して格段に細く、しかも充分な強度を有するものとすべきであり、細長い棒状であっても充分な強度が得られ、しかも低廉に入手可能な鉄鋼またはステンレス鋼製とするのが望ましく、アルミニウム合金、チタン合金などの軽量且つ高強度の金属製とすることが可能であり、後述する実施例にも示すように、長尺状のボルト・ナットであって、同長尺状ボルトの収納室ユニット内配置となる中途適所が上下に分断し、中間連結用長尺ナットによって上下寸法を、床下空間の上下間寸法や必要収納空間の上下寸法などに合わせて調節自在に連結したものとすることができ、底面上に固定した滑走用台盤上に複数の収納ケースが配された収納室ユニットを吊下げ連結する場合には、該収納室ユニット底面の滑走用台盤の隣接する収納用平板間であって滑走移動および収納状態にある各収納ケースに干渉せず、しかも均衡配置となる複数適所の夫々から、収納対象床下の床板支持用の根太または梁か、あるいは、床下収納専用として建築物骨格部に増設した横架部品かの何れかに達するよう、鉛直上方に延伸させたものとすることができる。
【００２３】
出納口は、建築物床板適宜位置に形成され、室内の利用者が床板を通じて、床下にある収納室ユニット内への物品の収納および取り出しを可能とする機能を果たすか、もしくは、床下収納室ユニット内に収容された収納ケース内の物品の収納および取り出しを可能とするかの少なくとも何れか一方の機能を果たすものであり、施蓋板で閉鎖することによって建築物床板の一部を形成するものとし、収納室ユニットの上端開口縁より小さな開口形状寸法としなければならず、収納室ユニット内に収納ケースを収容して利用する場合には、該収納ケースの平面形状よりも大きな開口寸法形状に設定し、収納ケースの取り出しや挿入を可能にして、清掃やメンテナンスを容易にするものとするのが望ましく、該出納口周囲付近の床板下に根太や梁、または床下収納専用として建築物骨格部に増設した横架部品を配して補強することが可能であり、後述する実施例に示すように、出納口周縁および施蓋板用の外周縁を夫々密閉閉鎖可能とする補強枠ならびに開閉用ヒンジ機構が組み込まれ、折畳み収納型の開閉ハンドルを設けるなどした床下収納専用の開閉金具装置を設けたものとすることができる。
【００２４】
滑走用台盤は、収納室ユニット内に収容して同収納室ユニットの中央に向けて星型配置状となるよう複数収納された各収納ケースを、そのキャスターによって円滑に進退滑走可能とすると共に、充分な強度ならびに硬度をもって収納支持可能とする機能を果たすものであり、収納室ユニットの内部底面上中央に配した、平面形状円形または正多角形の上面平滑面状の出納作業用ステージ板と、該出納作業用ステージ板の周囲等角度間隔毎、放射状且つ上面面一状に配した複数枚の上面平滑面状の収納用平板とからなるものとしなければならず、何れも充分な強度と硬度とをもって収納ケースを支持するものでなければならず、各収納用平板から出納作業用ステージ板中央に向けて星型配置状となる直線状案内レールが敷設されたものとすべきであり、例えば後述する実施例に示すように、防湿性を確保可能な硬質合成樹脂皮膜によってコーティング保護した合板製のもの同士を連結金具などにより、上面面一状に一体化したものとすることができる。
【００２５】
出納作業用ステージ板は、出納口の直下となる収納室ユニット底面壁上に滑走移動してくる収納ケースを円滑に走行可能とすると共に、出納口の直下まで移動してきた収納ケースを充分な強度で安定的に支持可能とする機能を果たすものであり、周囲に星型配置状となる何れの収納ケースも直線的に移動させて搭載することができる平面形状円形または正多角形の上面平滑面状の平板からなるものとしなければならず、収納対象床下の床板支持用の根太または梁か、あるいは、床下収納専用として建築物骨格部に増設した横架部品かの何れかの間を通過可能な寸法形状とするか、または、出納口より小さな寸法形状に設定したものとすべきであり、後述する実施例に示すように、塩化ビニル層やポリカーボネート板などによってコーティング保護した削片板製のものとすることができる外、収納ケースを停止すべき出納位置に、収納ケースのキャスターが嵌る凹部を形成したものとすることが可能である。
【００２６】
収納用平板は、出納作業用ステージ板の周囲等角度間隔毎となる放射状方向に移動してくる収納ケースを円滑に走行可能とすると共に、充分な強度で安定的に支持保管可能とする機能を果たすものであり、収納室ユニット底面壁上から滑走移動してくる収納ケースを円滑に移動させて搭載できる平面形状および寸法に設定した上面平滑面状の平板からなり、出納作業用ステージ板と上面面一状に配した複数枚からなるものとしなければならず、出納作業用ステージ板と同様に収納対象床下の床板支持用の根太または梁か、あるいは、床下収納専用として建築物骨格部に増設した横架部品かの何れかの間を通過可能な寸法形状とするか、または、出納口より小さな寸法形状に設定したものとすべきであり、後述する実施例に示すように、塩化ビニル層やポリカーボネート板などによってコーティング保護した削片板製のものとすることができる外、収納ケースを停止すべき収納位置に、収納ケースのキャスターが嵌る凹部を形成したものとすることが可能である。
【００２７】
案内レールは、各収納用平板上に搭載状に収納した収納ケースの、出納作業用ステージ板中央に向けた滑走を直線状且つ円滑に案内可能とすると共に、出納作業用ステージ板中央にある収納ケースの収納用平板上への移動を直線状に案内可能とする機能を果たすものであり、各収納用平板から出納作業用ステージ板中央に向けて星型配置状に少なくとも各一条ずつ敷設したものとしなければならず、収納用平板から出納作業用ステージ板中央に向けた平行レール対と、該平行レール対の出納作業用ステージ板とは反対がわとなる遠心がわ端部付近に、収納ケースまたはそのキャスターの少なくとも何れか一方に干渉して後退位置を規制可能とする凸型車止めとを組み合わせてなるものとすることができ、充分な強度が得られる金属製のレールとすることができる外、後述する実施例に示すように、下階に響かない静粛な動作が得られる人工大理石製のレールおよび凸型車止めを用いたものとすることができる。
【００２８】
収納ケースは、その上方から物品の出納および保管が可能であり、収納室ユニット内に収容した複数個の中、利用者がその都度適宜選択した一個を必要に応じて出納口の直下に円滑移動可能とする機能を果たし、収納室ユニット内に収容した複数個が互いに干渉せず、水平移動可能な形状寸法に設定すると共に、それらを建築物床板に形成した出納口直下に位置する出納作業用ステージ板を取り巻くように配置させ、何れか任意選択した１台が出納作業用ステージ板上まで個別に、移動可能となるよう形成されたものとしなければならず、天面開放型に形成し、底下面の複数適所に案内レールに沿って収納用平板から出納作業用ステージ板中央までの間を進退滑走可能とするキャスターが設けられたものとすることができ、後述する実施例に示すよう、収納用平板上に収納配置させた場合の、出納作業用ステージ板中央に最も近い上部開口縁付近適所に、出納口を通じて滑走往復動操作を容易にするハンドルが一体形成されてなるものとすることができ、その一部または全体をポリプロピレン樹脂やＡＢＳ樹脂などの合成樹脂製、ガラス繊維強化樹脂や炭素繊維強化樹脂などの複合樹脂製、スギや桐などの木製、または、塩化ビニル層やポリカーボネート板などによってコーティング保護した削片板製のものとすることができる。
【００２９】
この考案の床下収納庫は、建築物二階以上の階における床板適所に出納口を穿設した後に、床下空間に収納室ユニットの部品を搬入して組み立てるという作業手順としているが、床板が敷設されていない場合や、一旦所望範囲の床板を剥がして施工する場合には、出納口を設ける前に収納室ユニットの部品を床下空間に搬入した後、組み立てるよう作業を進めることができ、また、収納室ユニット全体を組み立てた後に棒状懸架機構により、建築物骨格部適所に吊下げ状に連結する工程は、収納室ユニットの底面部分のみか、または、それに付随する部分まで組み立てた後に、棒状懸架機構によって建築物骨格部適所に吊下げ状に連結し、安定的な吊下げ状態を確保した後、収納室ユニットの周壁およびその外の付随部分の組み立てを行うよう施工することができる。
さらにまた、滑走用台盤および案内レールの敷設や各収納ケースの収容作業は、収納室ユニット底面の組み立て作業が完了した後の何れの段階にあっても行うことが可能であり、施工現場毎の床下構造や強度、様々な作業条件などに応じて最も適する作業手順を選択することが可能である。
以下では、図面に示すこの考案を代表する実施例と共に、その構造について詳述することとする。                                                                                                            
【実施例１】
【００３０】
図１の平断面化した床下収納庫の平面図、および図２の縦断面化した床下収納庫の側面図に示す事例は、建築物二階以上の階における床下空間８３内に収まる寸法形状に設定した組み立て式で、且つ天面開放可能とする箱型収納室ユニット２を設け、該収納室ユニット２底面２１の均衡配置となる複数適所の夫々から、収納対象床下の床板支持用の根太８１，８１または梁か、あるいは、床下収納専用として建築物骨格部に増設した横架部品かの何れかに達し、吊下げ状に連結可能とする棒状懸架機構３，３，……を鉛直上方に延伸させ、同収納室ユニット２上端開口縁２３を、床板８２下に密接接合状とするよう装着した上、該収納室ユニット２底面２１適所の直上に対応する床板８２に出納口４を開口し、床板兼用となる施蓋板４１を開閉自在に装着してなるものとした、この考案の床下収納庫における代表的な一実施例を示すものである。
以下では、この考案の床下収納庫の施工方法の一例に従い順次、床下収納庫１の構造を示して行くこととする。
【００３１】
当該床下収納庫１は、施工対象となる建築物８室内床板８２の床下に配された根太８１，８１間または梁間となる適所に、一辺が６００ｍｍの平面正方形状に設定された出納口４を穿孔すると共に、該出納口４を囲み補強するよう根太８１，８１間に横架部品８４，８４を架け渡して結合した上、該出納口４には金属製の開閉用ヒンジ機構４４を有する補強枠４３を介して施蓋板４１を開閉自在に装着する開閉金具装置４２を装着し、同開閉金具装置４２施蓋板４１遊端がわの施蓋姿勢のとき上面となる中央適所には、施蓋板４１上面に面一状に折り畳み可能且つ展開操作可能な開閉ハンドル４５を設けたものとしている。
【００３２】
当該出納口４を容易に通過可能な形状寸法に制限した複数の木材部品同士を組み合わせ、一辺が１６６０ｍｍに設定された平面正方形の底面壁２１を形成し、該底面壁２１の四辺周縁から、設置対象となる建築物８床下空間８３上下間寸法内に収まる高さの周壁２２，２２，……を立ち上げ、それら底面壁２１と周壁２２，２２，……基部付近の適所とを、夫々Ｌ字型金具２４，２４，……とボルト・ナット２５，２５，……とによって強固に連結したものとする一方、各周壁２２，２２，……の上端開口縁２３に、接合対象となる建築物８床板８２の下面形状、および根太８１や梁などの下向き凸型輪郭形状に合致するよう必要個所を切除仕上げして天面開放可能とする箱型収納室ユニット２を形成するようにする。
【００３３】
収納室ユニット２底面壁２１中央寄りの下面であって、しかも根太８１，８１の横架部品８４，８４の各端部が連結する四個所の直下位置の夫々には、予め上向き凹欠状の座面が形成された連結孔２６，２６，……を鉛直状に穿設し、底面壁２１下面がわから棒状懸架機構３，３，……の一部となる座金３３およびナット３４を装着固定すると共に、収納室ユニット２内がわから鉛直状姿勢とした両ネジ３２，３２，……の下端を底面壁２１連結孔２６，２６，……に貫通させ、各ナット３４，３４，……に螺着して立設して置き、それらの上方に対峙する根太８１，８１上面には、夫々ボルト頭部を埋設状に装着可能な下向き凹欠状の座面を形成した連結孔８５，８５，……が鉛直状に穿孔されたものとし、上方から座金３３および長尺ボルト３１を下向き吊り下げ状に貫通装着し、対峙させた各長尺ボルト３１，３１，……下端と、両ネジ３２，３２，……上端とを長尺ナット３５，３５，……で螺合接続した上、各長尺ナット３５，３５，……の螺合状態を調節して締め付け、収納室ユニット２を吊り上げて、その上端開口縁２３が建築物８床板８２の下面、および根太８１の下向き凸型輪郭に密接状に接合して確り固定されたものとする。さらに、該棒状懸架機構３，３，……夫々の適所には、必要に応じて緩み止め用の逆締めナット（図示せず）を組み込むことができる。                                                                                
【実施例２】
【００３４】
図３の複数の収納ケースを収容した収納室ユニットの平断面図、図４の複数の収納ケースを収容した収納室ユニットの縦断面図、図５敷設作業中の滑走用台盤の平面図、図６の星形配置状とした案内レールの平面図、図７の複数の収納ケースを収容した収納室ユニット内の斜視図、図８の出納口から覗く収納室ユニット内の斜視図、および図９出納作業用ステージ板上に移動した収納ケースの斜視図に示す事例は、前記実施例１中に示した収納室ユニット２内部の底面２１上中央に、平面形正多角形の上面平滑面状の出納作業用ステージ板５１と、該出納作業用ステージ板５１の周囲等角度間隔毎、放射状且つ上面面一状に配した複数枚の上面平滑面状の収納用平板５２，５２，……とからなる、この考案の床下収納庫における代表的な他の実施例を示すものである。
【００３５】
それは、各収納用平板５２，５２，……から出納作業用ステージ板５１中央に向けて星型配置状となる直線状案内レール６が敷設された滑走用台盤５を収容固定すると共に、各収納用平板５２，５２，……上に各案内レール６，６，……に沿って進退滑走可能とするキャスター７１，７１，……を底下面複数適所に設け、出納作業用ステージ板５１上まで個別に移動自在とした天面開放型の収納ケース７，７，……を配したものとする一方、該収納室ユニット２底面２１の隣接する収納用平板５２，５２，……間であって滑走移動および収納状態にある各収納ケース７，７，……に干渉せず、しかも均衡配置となる複数適所の夫々から、収納対象床下の床板８２支持用の根太８１，８１または梁か、あるいは、床下収納専用として建築物骨格部に増設した横架部品８４かの何れかに達し、吊下げ状に連結可能とする棒状懸架機構３，３，……を鉛直上方に延伸してある。
以下には、この考案の床下収納庫の施工方法の他の一例に従い、前記実施例１に示した収納室ユニット２の内部に、複数の収納ケース７，７，……を収納した床下収納庫１の構造について示すこととする。
【００３６】
図３中に示す、当該収納室ユニット２の出納口４直下に対応する底面壁２１中央には、図５中に示すように、塩化ビニルシート貼り削片板製の平面形状正八角形であって上面平滑面状の出納作業用ステージ板５１を連結用金具やビス（何れも図示せず）などによって固定し、その出納作業用ステージ板５１の周囲４５度間隔の各一辺毎に、塩化ビニルシート貼り削片板製の平面形状扇型に形成し、円弧中心がわ４５度の角部を接線方向に平行となる角度で切除した外郭形状であって、上面平滑面状の収納用平板５２，５２，……合計８枚を、夫々の切除形状縁部分を隙間無く接合させて放射状且つ上面面一状とするよう配し、適宜支障の無い個所に連結用金具やビス（何れも図示せず）などを用いて連結固定し、全体が収納室ユニット２底面壁２１上面の略全体を覆う水平円板形状の滑走用台盤５を形成したものとする。
【００３７】
当該滑走用台盤５の上面には、図６中に示すように、各収納用平板５２，５２，……の夫々から出納作業用ステージ板５１上面の中央に向けて星型配置状となる人工大理石製の直線状案内レール６を敷設したものであって、各案内レール６，６，……は、各収納用平板５２，５２，……の上面の出納作業用ステージ板５１とは反対がわとなる遠心がわ外周縁付近から出納作業用ステージ板５１上面中央に向けて、同出納作業用ステージ板５１の外周縁に僅かに跨る位置まで延伸した平行レール対６１，６１，……を、夫々の支障の無い個所にビスまたはボルト（何れも図示せず）などを用いて固定敷設されたものとした上、各平行レール対６１，６１，……の出納作業用ステージ板５１とは反対がわとなる遠心がわ端部付近に、後述する収納ケース７の後端（遠心）がわ配置となるキャスター７１，７１に干渉し、同収納ケース７の後退位置を規制可能とする人口大理石製の凸型車止め６２をビスまたはボルト（何れも図示せず）などによって結合固定したものとする。
【００３８】
各収納用平板５２，５２，……上には、進退方向長さ４８０ｍｍ、巾２７０ｍｍ、高さ１９０ｍｍであって、図３中に示すよう、平面形状概略長方形であり、進退方向（長尺方向）の先端がわ巾方向の両角部分を夫々４５度の角度で削ぎ落とした平面形状六角形の、塩化ビニルシート貼り削片板製、天面開放型の収納ケース７，７，……を配したものとし、各収納ケース７底下面の左右前後には、平行レール対６１の外側レール縁に沿って滑走可能となる配置個所の夫々合計４個所に、キャスター７１，７１，……を下向き突設したものとし、さらに、収納用平板５２上に収納配置させた場合の、出納作業用ステージ板５１中央に最も近い、両角部分が夫々４５度の角度で削ぎ落とされた形状がわの上部開口縁付近適所に、平面形状台形型の塩化ビニルシート貼り削片板製ハンドル７２を一体化形成したものとしている。
【００３９】
各棒状懸架機構３，３，……は、図３ないし図６中に示すように、該収納室ユニット２底面壁２１の隣接する収納用平板５２，５３，……間であって滑走移動および収納状態にある各収納ケース７，７，……に干渉せず、しかも均衡配置となる複数適所の夫々であり、しかも根太８１，８１の横架部品８４，８４の各端部が連結する四個所の直下位置の夫々から鉛直上方に延伸させ、吊下げ状に連結してある。
【００４０】
（実施例１の作用）
以上のとおりの構成からなるこの考案の床下収納庫１は、図１および図２中に示すように、建築物８根太８１，８１間に開口した出納口４を囲むよう、該根太８１，８１間に横架部品８４，８４を架け渡し出納口４の全周囲を補強してあり、施蓋板４１が床板８２と面一状に閉鎖されている状態で、該施蓋板４１およびその周辺床板８２上を歩行移動した場合にも充分な剛性があり、床面の撓みや凹みなどを生じることがなく、また、収納室ユニット２周壁２２，２２，……下端がわと底面壁２１外周縁とを、複数のＬ字型金具２４，２４，……およびボルト・ナット２５，２５，……によって強固に連結すると共に、同収納室ユニット２の上端開口縁２３を、建築物８の根太８１，８１や床板８２下面に密接状に接合させた上、収納室ユニット２底面壁２１の中央寄りであって建築物８の根太８１，８１や梁などの骨格部材直下、且つ均衡配置となる複数適所の夫々を、鉛直姿勢の棒状懸架機構３，３，……によって吊下げ状に連結したものとし、建築物８に対して強固に一体化してある。
【００４１】
（実施例２の作用）
この考案の床下収納庫１は、図５中に示すように、滑走用台盤５を出納口４に通過可能な形状寸法とした塩化ビニルシート貼り削片板製の出納作業用ステージ板５１および収納用平板５２，５２，……から形成するようにし、設置対象が既存建築物８の場合には、図４中に示すように、床板８２を剥がさずに出納口４を通じて迅速に取り付けることが可能となり、加えて滑走用台盤５の外周縁を平面円形状のものとして収納室ユニット２への収納効率を高め、しかも塩化ビニルシート貼りの削片板製として出納口４を通じての湿気の浸入や収納物品からの液漏れに対する防水性を高めるようにしてある。
【００４２】
また、図６中に示すよう、人工大理石製の平行レール対６１および凸型車止め６２からなる直線状案内レール６を、出納作業用ステージ板５１上面外周縁付近から各収納用平板５２上面外周縁付近まで星型配置状となるよう敷設し、図３中に示すように、各平行レール対６１，６１，……を左右前後のキャスター７１，７１，……で跨ぐよう各収納ケース７，７，……を収納し、充分な耐久強度をもってキャスター７１，７１，……を誘導するようにし、各収納ケース７，７，……の収納用平板５２，５２，……上から出納作業用ステージ板５１上中央に向けた直線的滑走移動を安定且つ円滑化する。
【００４３】
そして、塩化ビニルシート貼り削片板製の各収納ケース７，７，……は、収納物品を出納口４から浸入する湿気から収納物品を守り、収納物品から漏出する水や油などの液体の収納室ユニット２内への漏出を防止するようにし、しかも付着した汚れの掃除を簡単にしてメンテナンス性を高め、さらに、同一素材製のハンドル７２は、製造コストを抑えて生産を向上させるようにする。
【００４４】
施工を終えた床下収納庫１は、図７ないし図９中に示すように、出納口４の施蓋板４１を開放し、何れか任意に選択した一個の収納ケース７を、そのハンドル７２に手を掛けて直線状案内レール６に沿って滑走させ、滑走用台盤５収納用平板５２上から、出納作業用ステージ板５１上中央まで移動させて所望の出納作業を行った後に、元の収納用平板５２上に押し戻すよう操作して円滑且つ簡便に物品を床下空間８３に収納可能とし、施蓋板４１を閉鎖してしまえば、通常の床板８２と同等の床面強度を得るものとなる。
【００４５】
（実施例１の効果）
以上のような構成からなる実施例１の床下収納庫１は、前記この考案の効果の項で記載の特徴に加え、図１および図２中に示すよう、収納室ユニット２の上端開口縁２３を、建築物８の根太８１，８１や床板８２下面などに直接連結して吊り下げた構造とせず、収納室ユニット２底面壁２１の中央寄りであって建築物８の根太８１，８１や梁などの骨格部材直下、且つ均衡配置となる複数適所の夫々を、鉛直姿勢の棒状懸架機構３，３，……によって吊下げ状に連結してあり、床板８２の出納口４を通じた棒状懸架機構３，３，……の吊着作業を簡便に行い、建築物８二階以上の狭い床下空間８３内であっても収納室ユニット２を効率的に施工することができると共に、簡素な構造でありながら収納室ユニット２底面壁２１の耐久強度を格段に高めることができ、下階天井面の耐震強度および安全を確保し、高い収納能力と高い密閉性能とを得ることができるという秀れた効果を発揮するものとなる。
【００４６】
また、棒状懸架機構３を建築資材として市場に大量供給されている長尺ボルト３１、両ネジ３２、座金３３，３３、ナット３４、長尺ナット３５の組み合わせからなるものでは、専用の吊り金具を新たに開発して使用する場合に比較して格段に経済的な施工を実現化することが可能となり、様々な要求寸法および要求強度に応じて秀れた品質の部品を、低廉にて組み合わせ利用することができ、しかも適所に緩み止め用の逆締めナット（図示せず）を組み込むことにより、度重なる地震や収納ケース７，７，……の滑走移動などによる振動によって螺合部分が弛むのを、さらに確実に防止できる利点が得られる。
【００４７】
（実施例２の効果）
実施例２の床下収納庫１は、前記この考案の効果の項で記載の特徴に加え、図７ないし図９中に示したように、出納口４直下に配置された滑走用台盤５出納作業用ステージ板５１の周囲に合計８個の収納ケース７，７，……が均等な放射状配置となるよう収容されたものとし、任意に選択した何れか一個を自由に出納作業用ステージ板５１上まで移動させて出納作業を行うことができ、収納ケース７，７，……を収容しない場合に比較して格段に秀れた収納作業性を実現化することができる。
【００４８】
（結  び）
叙述の如く、この考案の床下収納庫、およびその施工方法は、その新規な構成によって所期の目的を遍く達成可能とするものであり、しかも製造も容易で、従前からの床下収納技術に比較して大幅に耐震強度を高め、軽量且つ低廉化して遥かに経済的なものとすることができる上、建築物二階以上の階における床下空間への施工作業性を大幅に改善し得るものとなることから、従前までは充分な設置強度が得られず、ニーズがあっても二階以上の階における床下空間への収納庫設置を断念せざるを得なかった建築業界および建具業界はもとより、充分な収納空間の確保が難しい住宅事情に悩む一般家庭や賃貸業界においても高く評価され、広範に渡って利用、普及していくものになると予想される。                                                                      
【図面の簡単な説明】
【００４９】
図面は、この考案の床下収納庫、およびその施工方法の技術的思想を具現化した代表的な幾つかの実施例を示すものである。
【図１】平断面化した収納室ユニットを示す平面図である。
【図２】縦断面化した収納室ユニットを示す正面図である。
【図３】平断面化した床下収納庫を示す平面図である。
【図４】縦断面化した床下収納庫を示す正面図である。
【図５】滑走用台盤を示す平面図である。
【図６】案内レールを示す平面図である。
【図７】収納ケースの配置状態を示す斜視図である。
【図８】施蓋板の開放状態を示す斜視図である。
【図９】出納口下に移動した収納ケースを示す斜視図である。
【符号の説明】
【００５０】
１      床下収納庫
２      収納室ユニット
２１    同  底面壁
２２    同  周壁
２３    同  上端開口縁
２４    同  Ｌ字型金具
２５    同  ボルト・ナット
３      棒状懸架機構
３１    同  長尺ボルト
３２    同  両ネジ
３３    同  座金
３４    同  ナット
３５    同  長尺ナット
４      出納口
４１    同  施蓋板
４２    同  開閉金具装置
４３    同  補強枠
４４    同  開閉用ヒンジ機構
４５    同  開閉ハンドル
５      滑走用台盤
５１    同  出納作業用ステージ板
５２    同  収納用平板
６      直線状案内レール
６１    同  平行レール対
６２    同  凸型車止め
７      収納ケース
７１    同  キャスター
７２    同  ハンドル
８      建築物
８１    同  根太
８２    同  床板
８３    同  床下空間
８４    同  横架部品
８５    同  連結孔                                                                                              
【図１】
0003137677.tif 000003
【図２】
0003137677.tif 000004
【図３】
0003137677.tif 000005
【図４】
0003137677.tif 000006
【図５】
0003137677.tif 000007
【図６】
0003137677.tif 000008
【図７】
0003137677.tif 000009
【図８】
0003137677.tif 000010
【図９】
0003137677.tif 000011